(57)【要約】【課題】乾灰または湿灰に拘わらず焼却灰の溶融炉への定量的供給が可能であり、かつセッティングやメンテナンスが容易な解砕機を提供すること。さらには、必要に応じて解砕物のサイズを適切に制御することが可能な解砕機を提供すること。【解決手段】回転シャフト４の軸方向に所定の間隔をあけて複数位置に設けられ、回転シャフト４の円周に沿って放射状に取り付けられた複数のブレード２０を有する回転刃５と、下受台７に取り付けられた複数の下受刃８とを備えた解砕機３である。この解砕機３は、下受台７には可動式アーム６が取り付けられており、可動式アーム６の操作により、複数の下受刃８を複数の回転刃５の間に挿入した姿勢と複数の回転刃５の間から離間した姿勢とに切り換え可能に構成してある。【選択図】  図２
2004321989.tif 000002
【特許請求の範囲】
【請求項１】
回転シャフトの軸方向に所定の間隔をあけて複数位置に設けられ、前記回転シャフトの円周に沿って放射状に取り付けられた複数のブレードを有する回転刃と、
下受台に取り付けられた複数の下受刃と
を備えた解砕機であって、
前記下受台には可動式アームが取り付けられており、前記可動式アームの操作により、前記複数の下受刃を前記複数の回転刃の間に挿入した姿勢と前記複数の回転刃の間から離間した姿勢とに切り換え可能に構成してある解砕機。
【請求項２】
前記複数の下受刃を前記複数の回転刃の間に挿入した姿勢で、前記可動式アームを固定する固定機構を備える請求項１に記載の解砕機。
【請求項３】
前記複数のブレードの先端部分が前記回転シャフトの回転方向上手側に傾斜し、前記複数の下受刃の先端部分が前記回転シャフトの回転方向下手側に傾斜している請求項１または２に記載の解砕機。
【請求項４】
前記複数の下受刃は、単一のプレート上に取り付けられた下受刃ユニットである請求項１から３のいずれか一項に記載の解砕機。
【請求項５】
前記複数の下受刃が前記複数の回転刃の間に挿入された姿勢において、前記複数の下受刃の前記下受台への取り付け面が、前記回転シャフトの回転方向下手側で前記回転シャフト側に湾曲している請求項１から４のいずれか一項に記載の解砕機。
【請求項６】
前記複数の下受刃が前記複数の回転刃の間に挿入された姿勢において、一の回転刃の先端が隣り合う一の下受刃の刃身側部に近接するように屈曲し、前記一の下受刃の先端が隣り合う前記一の回転刃の刃身側部に近接するように屈曲している請求項１から５のいずれか一項に記載の解砕機。
【請求項７】
前記複数の下受刃が前記複数の回転刃の間に挿入される位置を調節するスペーサが、前記下受刃ユニットと前記下受台との間に設けられる請求項４に記載の解砕機。
【請求項８】
前記回転刃の回転速度を変更する変速装置を備える請求項１から７のいずれか一項に記載の解砕機。
【発明の詳細な説明】
【０００１】
【発明の属する技術分野】
本発明は、固結した粉状物または粒状物の塊を解砕するための解砕機に関する。より詳細には、本発明は、例えば、焼却灰解砕設備において、乾灰または湿灰に拘わらず固結した焼却灰の塊を適切なサイズに解砕し、その解砕した焼却灰を溶融炉に定量的に送り出すための焼却灰解砕機に関する。
【０００２】
【従来の技術】
ゴミ処理場などでゴミを焼却した後に発生する焼却灰は、一般に重金属類などの有害物質を含んでいる。このような有害物質の流失を防ぐため、通常、焼却灰は高温で溶融され、化学的に安定した溶融スラグの状態にして処分されている。また、このような溶融スラグは、溶融前の焼却灰に比べて嵩を約１／３程度に減容化することができるため、処分場の寿命を延ばすことができるという点でも望ましい。
【０００３】
従来、ゴミ焼却により発生した焼却灰は、ホッパーに投入されて収集された後、それをプッシャにより押し出して溶融炉に投入していた（例えば、特許文献１参照）。特許文献１の装置は、ホッパーに貯留されている焼却灰をシリンダ機構に連結されているプッシャで押し出して焼却灰を定量的に切り出すように構成されている。
【０００４】
また、ホッパーに投入された灰を溶融炉に導入する経路の途中に粉砕機を設け、固結した灰の塊を粉砕する装置もあった（例えば、特許文献２参照）。特許文献２の装置に用いられる粉砕機は、回転刃と受刃とのかみ合わせ作用により灰の塊を粉砕するように構成されている。
【０００５】
一方、農業用途として、排藁や切り株等の塊を切断するための農業用耕耘装置があった（例えば、特許文献３参照）。特許文献３の農業用耕耘装置では、複数の耕耘爪の間に回転刃がそれぞれ配置され、耕耘爪と回転刃との間に塊が入ることで切断がなされるように構成されている。
【０００６】
【特許文献１】
実開平５−３４４２６号公報（第１図）
【特許文献２】
特開昭６２−２１８３３２号公報（第２図）
【特許文献３】
特開平９−１８７１０３号公報（第１図）
【０００７】
【発明が解決しようとする課題】
しかしながら、上述した特許文献１の装置は、主に乾灰の処理に使用することを想定していると考えられ、焼却灰が固結する恐れのある湿灰には用いることができない。また、特許文献１は、プッシャを繰り返して前後に移動させることにより、焼却灰を溶融炉へ供給する際の定量性を向上させることを記載しているが、これは焼却灰の塊が比較的小さいかまたは柔らかい乾灰の場合のみに有効であり、焼却灰の塊が大きくて硬く固結した湿灰の場合には対応できない。焼却灰が固結すると、プッシャの運動のみで焼却灰を定量的に溶融炉に供給することはできず、ゆえに焼却灰の連続処理が困難となるからである。このように、特許文献１の装置では、湿灰を処理する場合に、焼却灰の供給量を細かく制御することが困難であるため、実質的にバッチ供給になってしまい、処理の効率が低下する。
【０００８】
上述した特許文献２の装置は、処理前の焼却灰中に例えば針金などの異物が混入しているとそれが回転刃や受刃に引っ掛かり、その都度装置の運転を中断して異物を取り除く必要が生じる。この作業には時間と労力が掛かり、ゆえに焼却灰から溶融スラグへの処理効率が非常に悪くなる。また、特許文献２の装置は回転刃および受刃が固定されていて両者の位置関係を調節することができないので、焼却灰中に比較的大きな塊が存在すると解砕機はそれを適切なサイズに解砕することができず、このため焼却灰の溶融炉への定量的供給が困難になる。このように特許文献２の装置は、そのメンテナンスに多大な労力が掛かるだけでなく、解砕機能が不十分であるという大きな問題を有している。
【０００９】
上述した特許文献３の農業用耕耘装置についても、回転刃と耕耘爪との位置関係は固定されており、このためセッティングやメンテナンスに多大な時間と労力が掛かる。さらに、このような回転刃と耕耘爪との位置関係が固定された構成であるため、必要に応じて解砕対象物を適切なサイズに解砕することもやはり不可能である。
【００１０】
従って、本発明は上記問題点に鑑みてなされたものであり、乾灰または湿灰に拘わらず焼却灰の溶融炉への定量的供給が可能であり、かつセッティングやメンテナンスが容易な解砕機を提供することを目的とする。さらには、必要に応じて解砕物のサイズを適切に制御することが可能な解砕機を提供することを目的とする。
【００１１】
【課題を解決するための手段】
この目的を達成するために、本発明の解砕機は、回転シャフトの軸方向に所定の間隔をあけて複数位置に設けられ、前記回転シャフトの円周に沿って放射状に取り付けられた複数のブレードを有する回転刃と、下受台に取り付けられた複数の下受刃とを備えており、前記下受台には可動式アームが取り付けられており、前記可動式アームの操作により、前記複数の下受刃を前記複数の回転刃の間に挿入した姿勢と前記複数の回転刃の間から離間した姿勢とに切り換え可能に構成してあることを特徴とする。
【００１２】
本発明の一実施形態によれば、前記複数の下受刃を前記複数の回転刃の間に挿入した姿勢で、前記可動式アームを固定する固定機構を備えてもよい。
【００１３】
本発明の一実施形態によれば、前記複数のブレードの先端部分が前記回転シャフトの回転方向上手側に傾斜し、前記複数の下受刃の先端部分が前記回転シャフトの回転方向下手側に傾斜していてもよい。
【００１４】
本発明の一実施形態によれば、前記複数の下受刃は、単一のプレート上に取り付けられた下受刃ユニットであってもよい。
【００１５】
本発明の一実施形態によれば、前記複数の下受刃が前記複数の回転刃の間に挿入された姿勢において、前記複数の下受刃の前記下受台への取り付け面が、前記回転シャフトの回転方向下手側で前記回転シャフト側に湾曲していてもよい。
【００１６】
本発明の一実施形態によれば、前記複数の下受刃が前記複数の回転刃の間に挿入された姿勢において、一の回転刃の先端が隣り合う一の下受刃の刃身側部に近接するように屈曲し、前記一の下受刃の先端が隣り合う前記一の回転刃の刃身側部に近接するように屈曲していてもよい。
【００１７】
本発明の一実施形態によれば、前記複数の下受刃が前記複数の回転刃の間に挿入される位置を調節するスペーサが、前記下受刃ユニットと前記下受台との間に設けられてもよい。
【００１８】
本発明の一実施形態によれば、前記回転刃の回転速度を変更する変速装置を備えてもよい。
【００１９】
［作用］
以下、本発明の作用について述べる。
【００２０】
本発明の解砕機は、回転シャフトの軸方向に所定の間隔をあけて複数位置に設けられ、前記回転シャフトの円周に沿って放射状に取り付けられた複数のブレードを有する回転刃と、下受台に取り付けられた複数の下受刃とを備えており、前記下受台には可動式アームが取り付けられており、前記可動式アームの操作により、前記複数の下受刃を前記複数の回転刃の間に挿入した姿勢と前記複数の回転刃の間から離間した姿勢とに切り換え可能に構成してあるので、可動式アームを必要に応じて動かすという簡単な操作だけで回転刃および下受刃のセッティングやメンテナンスを迅速かつ容易に行うことができる。
【００２１】
また、下受台に取り付けられた複数の下受刃を複数の回転刃の間に挿入した姿勢において複数の回転刃を回転させると、焼却灰の塊は複数の下受刃と複数の回転刃との間に挟まれて強力に解砕されるので、乾灰または湿灰に拘わらず焼却灰の溶融炉への定量的供給が可能となる。
【００２２】
さらに、本発明の解砕機は、前記複数の下受刃を前記複数の回転刃の間に挿入した姿勢で、前記可動式アームを固定する固定機構を備えているので、複数の下受刃を複数の回転刃の間に強固に固定できるようになり、焼却灰の塊が大きかったり硬かったりしても、確実かつ安定して塊の解砕を行うことができる。
【００２３】
さらに、本発明の解砕機は、前記複数のブレードの先端部分が前記回転シャフトの回転方向上手側に傾斜し、前記複数の下受刃の先端部分が前記回転シャフトの回転方向下手側に傾斜しているので、複数の回転刃と複数の下受刃との引き切断作用で焼却灰の塊を解砕する際、針金などの異物の引っ掛かりを防止することができるとともに、解砕物および異物を溶融炉の側にスムーズかつ定量的に搬送することができる。
【００２４】
さらに、本発明の解砕機は、前記複数の下受刃は、単一のプレート上に取り付けられた下受刃ユニットであるので、メンテナンス時の下受刃の交換が容易である。また、このような下受刃ユニットは複数の下受刃を一体化した構成であるので、下受刃の強度を高めることもできる。
【００２５】
さらに、本発明の解砕機は、前記複数の下受刃が前記複数の回転刃の間に挿入された姿勢において、前記複数の下受刃の前記下受台への取り付け面が、前記回転シャフトの回転方向下手側で前記回転シャフト側に湾曲しているので、焼却灰がこの湾曲面に沿って複数の回転刃の中央部分に流入し易くなり、焼却灰を複数の回転刃の回転領域に効率よく導くことができる。また、このような湾曲面を設けることにより複数の下受刃と下受台との取り付け部の剛性が向上するので、複数の下受刃を下受台に対して一層強固に固定することが可能となり、この結果、複数の下受刃全体の強度を大幅に高めることもできる。
【００２６】
さらに、本発明の解砕機は、前記複数の下受刃が前記複数の回転刃の間に挿入された姿勢において、一の回転刃の先端が隣り合う一の下受刃の刃身側部に近接するように屈曲し、前記一の下受刃の先端が隣り合う前記一の回転刃の刃身側部に近接するように屈曲しているので、隣り合う下受刃と回転刃との間隔が十分にあり、下受刃と回転刃との間を解砕した焼却灰が通過するので、焼却灰および異物を溶融炉の側にスムーズに搬送することができる。
【００２７】
さらに、本発明の解砕機は、前記複数の下受刃が前記複数の回転刃の間に挿入される位置を調節するスペーサが、前記下受刃ユニットと前記下受台との間に設けられるので、解砕物のサイズを大きくしたい場合にはスペーサを入れないか、またはスペーサの高さを低くして下受台から回転刃までの距離を大きくし、解砕物のサイズを小さくしたい場合にはスペーサの高さを高くして下受台から回転刃までの距離を小さくすることで、解砕物のサイズを調節することができる。
【００２８】
さらに、本発明の解砕機は、前記回転刃の回転速度を変更する変速装置を備えているので、回転刃の回転速度を最適な速度に調節し、最も効率がよい条件で解砕処理を行うことができる。
【００２９】
【発明の実施の形態】
以下に本発明の実施の形態を図面に基づいて説明する。なお、本発明は以下の実施の形態および図面に記載される構造に限定されるものではなく、当業者が実施し得る範囲において、あらゆる変更が可能である。
【００３０】
図１は、本発明の解砕機を用いた焼却灰解砕設備１００を示す図である。焼却灰解砕設備１００は、焼却灰を投入するためのホッパー１、焼却灰を押し出すためのプッシャ２、および焼却灰の塊を解砕するための解砕機３を備えている。ホッパー１に焼却灰を投入すると、焼却灰はホッパー１の底部から堆積する。このとき、焼却灰は水分やその重み等により固結し、少なくともその一部が塊を形成する。この塊となった焼却灰は往復運動するプッシャ２により図１中の矢印Ｐの方向に押し出され、解砕機３に供給される。解砕機３は、後述する回転刃で焼却灰を掻き込み、焼却灰を解砕する。そして、解砕された焼却灰は溶融炉（図示せず）に定量的に送り出される。
【００３１】
図２は、本発明の解砕機３の側面図である。さらに、図３は、本発明の解砕機３の正面図である。解砕機３は、回転シャフト４の軸方向に所定の間隔をあけて複数位置に設けられ、前記回転シャフト４の円周に沿って放射状に取り付けられた複数のブレード２０を有する回転刃５と、下受台７に取り付けられた複数の下受刃８とを備えている。回転シャフト４は、変速装置として機能するモータ１９に連結され、図２中の矢印Ｑの方向に回転される。回転シャフト４とモータ１９との間には減速機を設けることができるが、モータ１９に減速機が内蔵されていてもよい。あるいは、回転シャフト４とモータ１９とは減速機を介さずに直結されていてもよい。また図３では、モータ１９はその回転軸を回転シャフト４の回転軸とは異なる位置に設け、両者を伝達ベルトで連結するような構成にしているが、回転シャフト４の回転軸とモータ１９の回転軸とが同一直線上となるように設置してもよい。また、モータ１９は、ギアなどを介して回転シャフト４と連結されていてもよい。
【００３２】
モータ１９の回転速度は、モータ１９に接続されたインバータ（図示せず）により変更することができる。例えば、回転シャフト４に取り付けた回転刃５の回転径が直径４５０ｍｍの場合、回転刃５の回転速度が０〜１１０ｒｐｍの範囲になるようにモータ１９を制御することができる。ここで、焼却灰を所望のサイズ（例えば、平均径１０〜３０ｍｍ）に解砕するためには、回転刃５の回転速度が５０〜１１０ｒｐｍであることが好ましい。５０ｒｐｍ未満では解砕物を十分に解砕しないうちに塊が解砕機３を通り抜けてしまうおそれがあり、また１１０ｒｐｍ以上では回転刃５の摩耗が早まるからである。５０〜１１０ｒｐｍの回転速度であれば、回転刃５と下受刃８との引き切断作用により焼却灰の塊を上記の所望のサイズに解砕し、解砕物を溶融炉へスムーズかつ定量的に供給することができる。また、塊を形成していない通常の焼却灰（乾灰、湿灰を含む）は、回転刃５の回転にともなって定量的に引き出され、解砕物とともに溶融炉に供給されるので、このような通常の焼却灰のために特別に回転刃５の回転速度を調節したり、解砕機３に新たな手段を追加したりする必要はない。
【００３３】
ホッパ１に投入された焼却灰はプッシャ２により押し出されて解砕機３に供給されるが、ここで、プッシャ２の押し出し速度は可変であり、これを調節することにより焼却灰の供給速度を変えることができる。また、ホッパ１から解砕機３につながる経路には邪魔板９が設けられており、邪魔板９を上下に動かして位置を変更することにより、焼却灰の供給量を調節することができる。邪魔板９の移動は手動で行ってもよいし、アクチュエータなどを用いて行ってもよい。解砕機３に供給された焼却灰は回転する複数の回転刃５と複数の下受刃８とに挟まれ、引き切断作用により強力に解砕される。そして、解砕された焼却灰は複数の回転刃５と複数の下受刃８との間の空間を通過し、溶融炉へと定量供給される。
【００３４】
下受刃８は、通常１日に１回程度メンテナンス作業が行われる。ここで、複数の下受刃８を設置している下受台７には可動式アーム６が取り付けられており、この可動式アーム６の操作により、複数の下受刃８を複数の回転刃５の間に挿入した姿勢と複数の回転刃５の間から離間した姿勢とに切り換え可能になっている。このため、複数の回転刃５および複数の下受刃８のセッティングやメンテナンスを行う際には、可動式アーム６を必要に応じて動かすという簡単な操作を実行すればよく、面倒な部品の分解や組み立てを行う必要はない。このように、本発明の解砕機３は、メンテナンスやセッティングを迅速かつ容易に行うことができるので、ランニングコストもあまりかからず、その利点は大きい。なお、実際にメンテナンス作業を行う際には、解砕機３のフレームに設けられた点検扉２１を開けてメンテナンスを行うことができる。
【００３５】
また、解砕機３は、下受台７に取り付けられた複数の下受刃８を複数の回転刃５の間に挿入した姿勢で可動式アーム６を固定する固定機構１０，１１を備えている。図４は、第１の固定機構１０を示す図である。図４において、（Ａ）は第１の固定機構１０の側面図であり、（Ｂ）は第１の固定機構１０を正面から見た一部切欠断面図である。第１の固定機構１０は、可動式アーム６を下受台７の側から解砕機３のフレームに固定するための固定機構である。また、図５は、第２の固定機構１１を示す図である。図５において、（Ａ）は第２の固定機構１１の側面図であり、（Ｂ）は第２の固定機構１１を正面から見た一部切欠側面図である。第２の固定機構１１は、可動式アーム６を解砕機３のフレームに直接固定するための固定機構である。第１の固定機構１０および第２の固定機構１１の詳細を、図６を用いて以下に説明する。
【００３６】
図６は、第１の固定機構１０および第２の固定機構１１を用いて、可動式アーム６を解砕機３のフレームに固定する様子を示す図である。図６において、（Ａ）は可動式アーム６が解砕機３のフレームに固定された状態を示し、（Ｂ）は可動式アーム６が解砕機３のフレームから固定解除された状態を示す。下受台７には長穴１２が設けられており、その長穴１２に第１の固定機構１０の固定バー１３の一端がスライド可能に連結されている。そして固定バー１３の他端は解砕機３のフレームに設けられた貫通孔に通されている。可動式アーム６の固定は、次の手順で行われる。まず、固定バー１３をフレームから外部に向かう方向（矢印Ｒ方向）に引っ張り、固定バー１３の前記一端をスライドさせながら複数の下受刃８が複数の回転刃５の間に入る姿勢になるまで可動式アーム６のハンドル２５を持ち上げて下受台７を起こす。下受台７が所望の位置に達したら固定バー１３に設けられたネジ部２２にナット１４を通して締め付け、固定バー１３と解砕機３のフレームとをロックさせる（第１の固定機構による固定）。上記のように固定バー１３を解砕機３のフレームにロックさせた状態では、同時に可動式アーム６に設けられた固定穴１５と解砕機３のフレームに設けられた係合穴２３との位置が整合するようになっている。この状態で固定穴１５および係合穴２３に係合ピン１６を貫通させ、係合ピン１６を固定ボルト２４で締結すると、可動式アーム６を解砕機３のフレームに直接固定することができる（第２の固定機構による固定）。このように、本発明の解砕機３は、可動式アーム６を第１の固定機構１０および第２の固定機構１１の２つの機構を用いて二重に固定することができるようになっており、その結果、複数の下受刃８を複数の回転刃５の間で強固に固定することが可能となる。このような構成であるので、焼却灰の塊が大きかったり硬かったりしても、確実かつ安定して塊の解砕を行うことができる。
【００３７】
次に、回転刃５の構成について、図７を参照して、以下に詳細に説明する。図７は、回転シャフト４に複数のブレード２０を取り付けた回転刃５を示す図である。図７に示すように、回転刃５は、例えば３枚一組のブレード２０を回転シャフト４に取り付けて構成することができる。具体的には、３枚のブレード２０が均等に放射状に配置するようにそれらの根元が２枚の円盤１７で挟まれて固定される。そして、円盤１７の中心に回転シャフト４が貫通するように構成されている。このとき、２枚の円盤１７の間にはブレード２０の根元が動かないようにするための固定スペーサ１８が挿入される。これにより、回転刃５が高速で回転してもブレード２０がずれたりする心配はない。２枚の円盤１７によって挟まれた３枚一組のブレード２０からなる回転刃５は、回転シャフト４上に軸方向に所定の間隔をあけて複数位置に設けられる。このとき、各位置の回転刃５は、例えば図２のように、回転シャフト４の軸方向から見て６０度ずつずれるように順に取り付けることができる。
【００３８】
次に、複数の下受刃８の構成について、以下に詳細に説明する。図２に示すように、複数の下受刃８は、複数の回転刃５の間に挿入された姿勢において、複数の下受刃８の下受台７への取り付け面が、回転シャフト４の回転方向下手側で回転シャフト４側に湾曲している。このような構成であれば、焼却灰が上記湾曲面に沿って複数の回転刃５の中央部分に流入し易くなるので、焼却灰を複数の回転刃５の回転領域に効率よく導くことができる。また、このような湾曲面を設けることにより複数の下受刃８と下受台７との取り付け部の剛性が向上するので、複数の下受刃８を下受台７に対して一層強固に固定することができるようになり、その結果、複数の下受刃８全体の強度を大幅に高めることが可能となる。
【００３９】
なお、複数の下受刃８を単一のプレート上に取り付けた下受刃ユニットにすれば、下受刃の強度はさらに向上するので好ましい。またこのような下受刃ユニットの構成であれば、複数の下受刃８の交換を一度にすることができるので、メンテナンスの面でも有利である。さらに、複数の下受刃８を取付台７に取り付ける間隔は、安定した解砕処理を行うために、回転シャフト４に取り付けられた複数の回転刃５の間隔と略同一にすることが好ましい。
【００４０】
複数の回転刃５および複数の下受刃８の形状は、図２に示すように、複数の回転刃５を構成する複数のブレード２０の先端部分が回転シャフト４の回転方向上手側に傾斜し、複数の下受刃８の先端部分が回転シャフト４の回転方向下手側に傾斜していることが好ましい。このような形状は、焼却灰の塊は受け止めるが異物（例えば、針金など）は逃がす特性がある。従って、複数の回転刃５と複数の下受刃８との引き切断作用で焼却灰の塊を解砕する際、針金などの異物の引っ掛かりを防止することができるとともに、解砕物および異物を溶融炉の側にスムーズかつ定量的に搬送することができるので有利である。
【００４１】
また、複数の回転刃５および複数の下受刃８は、図３に示すように、複数の下受刃８が複数の回転刃５の間に挿入された姿勢において、一の回転刃の先端が隣り合う一の下受刃の刃身側部に近接するように屈曲し、前記一の下受刃の先端が隣り合う前記一の回転刃の刃身側部に近接するように屈曲していることが好ましい。このような構成であれば、隣り合う回転刃と下受刃とのクリアランスが狭くなる部分を極力少なくすることができる。このため、隣り合う下受刃と回転刃との間隔を十分にとることができ、この下受刃と回転刃との間を解砕した焼却灰が通過するので、焼却灰および異物を溶融炉の側にスムーズに搬送することができる。
【００４２】
さらに、複数の下受刃８と下受台７との間にスペーサを設けてもよい。このスペーサは、複数の下受刃８が複数の回転刃５の間に挿入される位置を調節する役割を果たすものである。これにより、複数の下受刃８の取り付け面から複数の回転刃５の回転領域までの距離を自在に変えることができるため、解砕物を所望のサイズに調節することができる。例えば、スペーサを設けないか、またはスペーサの高さを低くすると解砕物のサイズは大きくなり、スペーサの高さを高くすると解砕物のサイズは小さくなる。一般には、上記の複数の下受刃８の取り付け面から複数の回転刃５の回転領域までの距離を１０〜３０ｍｍの範囲で設定することができ、このとき適切なサイズの解砕物が得られる。
【００４３】
［別実施形態］
本明細書では、ゴミ処理場で発生する焼却灰を解砕処理する目的で、解砕機を用いることを説明してきた。しかし、本発明の解砕機はこのような用途に何ら限定されるものではなく、他の種々の用途にも用いることができる。例えば、農業用途、工業用途、土木用途、食品用途などにおいて、解砕対象物を解砕するために本発明の解砕機を用いてもよい。
【図面の簡単な説明】
【図１】本発明の解砕機を用いた焼却灰解砕設備を示す図
【図２】本発明の解砕機の側面図
【図３】本発明の解砕機の正面図
【図４】第１の固定機構を示す図
【図５】第２の固定機構を示す図
【図６】第１の固定機構および第２の固定機構を用いて、可動式アームを解砕機のフレームに固定する様子を示す図
【図７】回転シャフトに複数のブレードを取り付けた回転刃を示す図
【符号の説明】
１  ホッパー
２  プッシャ
３  解砕機
４  回転シャフト
５  回転刃
６  可動式アーム
７  下受台
８  下受刃
９  邪魔板
１０  第１の固定機構
１１  第２の固定機構
１２  長穴
１３  固定バー
１４  ナット
１５  固定穴
１６  係合リング
１７  円盤
１８  固定スペーサ
１９  モータ
２０  ブレード
２１  点検扉
２２  ネジ部
２３  係合穴
２４  固定ボルト
２５  ハンドル
１００  焼却灰解砕設備
【図１】
2004321989.tif 000003
【図２】
2004321989.tif 000004
【図３】
2004321989.tif 000005
【図４】
2004321989.tif 000006
【図５】
2004321989.tif 000007
【図６】
2004321989.tif 000008
【図７】
2004321989.tif 000009